(57)【要約】【課題】  タイムスケジュール／カレンダー、時刻により、記録方式／記録形態を切り替えて実行し、装置の稼働率の向上、オフィス業務の効率化を目的とする。【解決手段】  タイムスケジュール機能、カレンダー機能、時計機能、ＦＡＸ機能、および複数の記録方法あるいは記録形態機能を有する記録装置において、タイムスケジュールあるいはカレンダーあるいは時刻により、該複数の記録方法あるいは記録形態機能から１つの記録方法あるいは記録形態を選択して用いることを特徴とする記録装置。【選択図】        図１
2006159561.tif 000002
【特許請求の範囲】
【請求項１】
タイムスケジュール機能、カレンダー機能、時計機能、ＦＡＸ機能、および複数の記録方法あるいは記録形態機能を有する記録装置において、
タイムスケジュールあるいはカレンダーあるいは時刻により、該複数の記録方法あるいは記録形態機能から１つの記録方法あるいは記録形態を選択して用いることを特徴とする記録装置。
【請求項２】
請求項１記載の記録装置において、
選択された記録方法あるいは記録形態として、ＦＡＸ通信の複数通信分をまとめて記録する記録方法あるいは記録形態を選択することを特徴とする記録装置。
【請求項３】
請求項１記載の記録装置において、
選択された記録方法あるいは記録形態として、両面記録機能を選択することを特徴とする記録装置。
【請求項４】
請求項１記載の記録装置において、
選択された記録方法あるいは記録形態として、ＦＡＸ送信元のＩＤのみを複数通信分まとめて記録する記録方法あるいは記録形態を選択することを特徴とする記録装置。
【請求項５】
請求項１記載の記録装置において、
選択された記録方法あるいは記録形態として、記録濃度を薄くして記録する記録方法あるいは記録形態を選択することを特徴とする記録装置。
【請求項６】
請求項１記載の記録装置において、
選択された記録方法あるいは記録形態として、一度のステープルの枚数を多くする記録方法あるいは記録形態を選択することを特徴とする記録装置。
【請求項７】
請求項１記載の記録装置において、
選択された記録方法あるいは記録形態として、記録紙の給紙動作が正常に完了するまでおこなう給紙動作回数を多くおこなう記録方法あるいは記録形態を選択することを特徴とする記録装置。
【請求項８】
請求項１記載の記録装置において、
選択された記録方法あるいは記録形態として、記録紙の搬送スピードを遅くする記録方法あるいは記録形態を選択することを特徴とする記録装置。
【請求項９】
請求項１記載の記録装置において、
選択された記録方法あるいは記録形態として、記録紙上に画像を定着する定着温度を低く設定する記録方法あるいは記録形態を選択することを特徴とする記録装置。
【請求項１０】
請求項１記載の記録装置において、
選択された記録方法あるいは記録形態を実行するかしないかの設定機能を有することを特徴とする記録装置。
【発明の詳細な説明】
【技術分野】
【０００１】
本発明はタイムスケジュール機能、カレンダー機能、時計機能、ＦＡＸ機能、を有する記録装置に関する。
【背景技術】
【０００２】
従来から、ＦＡＸ機能を有する記録装置において、記録のための消耗品（記録紙、電子写真方式ではトナー、インクジェット方式ではインク、フィニッシャー機能付ならステープラの針）が無くなった場合には、ＦＡＸ受信画像の記録ができないので受信画像をメモリーに蓄えて受信する、いわゆる代行受信が行なわれる。
【０００３】
同時に、オペレータに消耗品の補給を促すメッセージが表示される。オペレータはメッセージを見て、必要な消耗品を補給する。この消耗品補給メッセージもオペレータが装置の近くに居れば、直ちにメッセージがオペレータに伝わり、補給がおこなわれるが、夜間、あるいは、休日などでオペレータが不在の場合には消耗品補給がなされずＦＡＸ受信画像は代行受信のままとなり、メモリーオーバーとなってＦＡＸ受信が途切れてしまうことが起こりえる。従来技術では消耗品の補給を促すメッセージを出すものはあったが、オペレータが不在の時には対処できなかった（例えば特許文献１参照）。
【特許文献１】特開平０９―２６５２２３号公報
【発明の開示】
【発明が解決しようとする課題】
【０００４】
本発明は、上述の問題点に着目してなされたものであって、夜間、休日などのオペレータ不在時の消耗品切れを解決することのできる記録装置の提供を目的とするものである。
【課題を解決するための手段】
【０００５】
課題を解決する為の第一の発明は、
タイムスケジュール機能、カレンダー機能、時計機能、ＦＡＸ機能、および複数の記録方法あるいは記録形態機能を有する記録装置において、
タイムスケジュールあるいはカレンダーあるいは時刻により、該複数の記録方法あるいは記録形態機能から１つの記録方法あるいは記録形態を選択して用いることを特徴とする記録装置。
【０００６】
第二の発明は、
第一の発明の記録装置において、
選択された記録方法あるいは記録形態として、ＦＡＸ通信の複数通信分をまとめて記録する記録方法あるいは記録形態を選択することを特徴とする記録装置。
【０００７】
第三の発明は、
第一の発明の記録装置において、
選択された記録方法あるいは記録形態として、両面記録機能を選択することを特徴とする記録装置。
【０００８】
第四の発明は、
第一の発明の記録装置において、
選択された記録方法あるいは記録形態として、ＦＡＸ送信元のＩＤのみを複数通信分まとめて記録する記録方法あるいは記録形態を選択することを特徴とする記録装置。
【０００９】
第五の発明は、
第一の発明の記録装置において、
選択された記録方法あるいは記録形態として、記録濃度を薄くして記録する記録方法あるいは記録形態を選択することを特徴とする記録装置。
【００１０】
第六の発明は、
第一の発明の記録装置において、
選択された記録方法あるいは記録形態として、一度のステープルの枚数を多くする記録方法あるいは記録形態を選択することを特徴とする記録装置。
【００１１】
第七の発明は、
第一の発明の記録装置において、
選択された記録方法あるいは記録形態として、記録紙の給紙動作が正常に完了するまでおこなう給紙動作回数を多くおこなう記録方法あるいは記録形態を選択することを特徴とする記録装置。
【００１２】
第八の発明は、
第一の発明の記録装置において、
選択された記録方法あるいは記録形態として、記録紙の搬送スピードを遅くする記録方法あるいは記録形態を選択することを特徴とする記録装置。
【００１３】
第九の発明は、
第一の発明の記録装置において、
選択された記録方法あるいは記録形態として、記録紙上に画像を定着する定着温度を低くする記録方法あるいは記録形態を選択することを特徴とする記録装置。
【００１４】
第十の発明は、
第一の発明の記録装置において、
選択された記録方法あるいは記録形態を実行するかしないかの設定機能を有することを特徴とする記録装置。
【発明の効果】
【００１５】
本発明に拠れば、タイムスケジュール／カレンダーあるいは時刻によって記録方式／記録形態を可変にする、更に具体的には平日より休日、昼間より夜間の方が消耗品の消耗量をより少なくする記録方式／記録形態を選択し実行することで、オペレータ不在時の消耗品切れを防止し、装置の稼働率を向上させオフィス業務を効率化する効果がある。
【発明を実施するための最良の形態】
【００１６】
以下、図を用いて本発明の実施例を順次説明する。
【実施例１】
【００１７】
図１は本発明の記録装置の機能ブロック図である。なお、図１記載の記録装置は以降の実施例全てに共通な実施例の機能ブロック図とする。ＦＡＸ機能付の記録装置であるから、外部からの電話回線（１−１）がＮＣＵ（網制御装置）（１−２）に接続されていて更にモデム（１−３）に接続され本装置のメインコントローラ（１−４）に接続されている。ＦＡＸ通信により受信した画像はメインコントローラを経由して記録手段（１−５）に送られ記録紙上の記録される。記録手段が何らかの理由で使用不可となった場合には受信画像は記録手段には送られず代行受信メモリー（１−６）に蓄えられる。記録手段が記録不可となる要因は例えば記録紙が無くなる、記録方式が電子写真の場合にはトナーが無くなる、インクジェットの場合にはインクが無くなる、また、排紙した記録紙にステープルするステープラ機能がある場合にはステープラの針が無くなる、といったいわゆる消耗品が無くなる場合が考えられる。代行受信メモリーに蓄えられた画像は後に記録装置が使用可となった暁に（消耗品が補給された暁に）メインコントローラに読み出されて記録装置に送られ記録される。本発明の記録装置には上記の他にタイムスケジューラあるいはカレンダー（１−７）を有している。また、時計機能（１−８）も有している。この２つの機能の前者のカレンダーは日付あるいは曜日を表す機能を有し、後者の時計機能は時刻を表す機能を有しているものとする。また、スケジューラーは各種のイベントやオペレータの行動予定を表す機能も有するものとする。
【００１８】
この２つの機能はメインコントローラに互いに接続し、メインコントローラはカレンダー機能から日付、曜日を読み取り、また、スケジューラー機能からは各種イベントや行動予定を読み取る、更に、時計機能からはその日の時刻を読み取ることができるものとする。また、本記録装置はオペレータからの各種のデータ設定用、あるいはオペレータに装置状態を表示するためのオペレーションパネルがメインコントローラに接続されている。オペレータからのデータ設定としてはＦＡＸ送信用の電話番号設定などであり、装置状態の表示としては消耗品の補給指示などである。また、このオペレーションパネルを用いて、本発明に関わる設定も入力可能であるとする。
【００１９】
さて図１に記載の本発明の記録装置にあって、図１−１は実施例１の制御フローチャートである。
【００２０】
制御ステップＳ１１０１（以降単にＳ＊＊＊と記す）にてタイムスケジューラ／カレンダー機能から予め設定されている設定状態を読み取る。本実施例ではそのうちのカレンダーから日付／曜日を読み取るものとする。
【００２１】
Ｓ１１０２で読み取った日付／曜日が［休日］であるか判定する。休日ならＳ１１０３で休日／夜間用の記録方式／記録形態を選択する。Ｓ１１０２で［休日］でなければＳ１１０４で時計機能から時刻を読み取る。Ｓ１１０５で読み取った時刻が［夜間］かどうかの判定をする。なお、［夜間］かどうかの具体的な判定基準は例えば時刻が午後７時から午前８時までなら［夜間］と判定し、以外なら夜間でない、と判定する。判定基準の時刻の設定は任意とする。さて、Ｓ１１０５で［夜間］と判定されたらＳ１１０３でＳ１１０２で［休日］と判定された場合と同じくＳ１１０３に進み、休日／夜間用の記録方法／記録形態を選択する。Ｓ１１０５で［夜間］でない、と判定されたらＳ１１０６で平日／昼間用の記録方法／記録形態を選択する。
【００２２】
なお本実施例では休日と夜間は同じ記録方法／記録形態としているが、無論、他の実施例でこれらを分けて設定することも可能である。
【実施例２】
【００２３】
図２、図３、図１０は実施例２の記録方法／記録形態を表す。図２は昼間用の記録方法／記録形態である。すなわち、ＦＡＸ通信が３通信あり、各１ページづつ受信した場合の記録方法／記録形態を表す。通信１で受信した画像は上部にメッセージ（この例では、あいうえお）が有り下部は余白である。この１ページをそのまま直ちに記録紙に記録する。次に通信２で受信した画像も同様に上部にメッセージ（この例では、かきくけこ）が有り下部は余白である。これも通信１と同様にそのまま直ちに記録紙に記録する。通信３も同様である。つまり、通信毎に受信画像をそのまま直ちに記録紙に記録する記録方法／記録形態であるから、たとえ、受信画像の大部分が余白であってもそのまま記録紙に記録されてしまう。これが従来からの受信画像記録方法／記録形態である。ＦＡＸは情報伝送においてはリアルタイム性が重要な要素であるから、平日／昼間のオペレータが居る時間帯はこのような記録方法／記録形態が適している。一方、図３は休日／夜間用の記録方法／記録形態を表す。
【００２４】
図２と同様に３通信あり、各１ページづつ受信し、同じように上部のみにメッセージがある場合である。
【００２５】
まず、通信１の画像をメモリーに格納する。直ちに記録はしない。次に通信２の画像をメモリーに格納するが、通信１の画像の余白部分に画像を詰めて格納する。同様に通信３の画像を通信２のメッセージに詰めてメモリーに格納し、ここで初めて記録紙に記録する。記録紙は１枚のみの使用となる。休日／夜間はオペレータの居ない時間帯であるから通信毎に直ちに記録紙に記録する必要がないので記録を待たせることが可能であり、また、その結果、消費する記録紙も少なくて済むわけである。
【００２６】
図１０は制御フローチャートである。通信スタートからＳ１００１で１ページ受信終了を待つ。１ページ受信中はＳ１００２で受信画像の１ラインが全白ラインか判定し全白ラインならＳ１００１に戻る。全白ラインでないならＳ１００３でその画像（ライン）をメモリーに格納する。Ｓ１００４で受信画像のライン数をカウントし、Ｓ１００５でライン数がＡ４の記録紙の長さを超えたか判定する。この場合、記録紙はＡ４サイズとしている。Ａ４サイズを超えてなければＳ１００１に戻る。Ａ４を超えたらＳ１００６で記録紙に出力する。Ｓ１００１で１ページ受信終了したらＳ１００７で次に受信するページがあるか判定する。ＦＡＸ手順信号のＭＰＳかＥＯＰで判断する。ＭＰＳなら次ページ有りとなり、Ｓ１００８で全白ラインをメモリーに格納する。これはページとページの境目を見やすくするためである。そして、Ｓ１００１に戻りページがなくなるまで繰り返す。
【実施例３】
【００２７】
図４、図１１は実施例３の記録方式／記録形態である。この場合は、記録装置が両面記録の機能を有していることが前提になる。実施例２と休日／夜間用の記録方式／記録形態と同様に通信毎に記録はせず、通信２のページを受信したら通信１の画像を表面に記録し、通信２の画像は裏面に記録する。記録紙は１枚で済む。これも、オペレータの居ない時間帯で可能な記録方式／記録形態である。なお、本実施例では、実施例２のような画像を詰める記録方式ではないが、画像を詰めて更に両面に記録する記録方式も可能である。
【００２８】
図１１は制御フローチャートである。図１０と違う部分はＳ１１０５から記録に向かう際にＳ１１０６で前が表か裏かを判定し、表なら今回は裏面に出力し（Ｓ１１０７）、裏であったなら今回は表面に出力する（Ｓ１１０８）制御が追加されている点である。
【実施例４】
【００２９】
図５、図１２は実施例４の記録方式／記録形態である。
【００３０】
従来よりＦＡＸ受信においては送信側から送信側を識別するＩＤ（例えば送信側の電話番号）が受信側に送られる技術がある。ＩＴＵ−Ｔ勧告では送信側の電話番号はＴＩＳ信号を用いて送られる。
【００３１】
前述の実施例と同じく３通信あったとする。通信１では図５のように送信元ＩＤ−１と本文１が送られてくる。
【００３２】
このうち送信元ＩＤ−１のみをメモリーに格納する。通信２では送信元ＩＤ−２と本文２が送られてくるが同じく送信元ＩＤ−２のみをメモリーに送信元ＩＤ−１に詰めて格納する。通信３も同様である。通信３の段階では図５のようにメモリーには送信元ＩＤ−１、送信元ＩＤ−２、送信元ＩＤ−３のみがメモリーに詰まった形で格納されている。この段階で初めて記録紙に記録する。無論、３通信で必ず記録紙に記録し無くても良く、例えば記録紙サイズがＡ４の場合はＡ４の長さ分の送信元ＩＤが溜まった時点で記録紙に記録すれば良い。
【００３３】
更には送信元ＩＤのみでなく本文の始めの数行のみもメモリーに格納し記録しても良い。いずれにしても、消費する記録紙の枚数は劇的に少なくて済むことになる。
【００３４】
図１２は制御フローチャートである。通信スタートしてからＳ１２０１で送信側から送られる送信元ＩＤ（例えばＴＳＩの電話番号）を取得する。Ｓ１２０２で送信元ＩＤをメモリーに格納する。Ｓ１２０３で送信元ＩＤのライン数をカウントする。Ｓ１２０４でライン数がＡ４記録紙サイズの長さを超えたらＳ１２０８で記録紙に出力する。記録紙サイズはＡ４とする。Ｓ１２０４で未だＡ４サイズを超えてなければＳ１２０５でその通信が終了するまで待つ。終了したらＳ１２０６で次の通信開始まで待ち、通信が開始したら（例えば送信側から発呼があったら）Ｓ１２０７で全白ラインをメモリーに格納しておく。これは前実施例と同じで、記録紙に出力したときに通信間の切れ目を判りやすくするためである。そして、Ｓ１２０１で送信側ＩＤを取得する。以下同様である。
【００３５】
なお、通常はＴＳＩ信号内の電話番号は受信画像のようにメモリーには格納しないが、本発明では画素に展開しメモリーに格納しておく。そのためにＳ１２０３で送信元のＩＤの画素展開した後のライン数をカウントするのである。
【実施例５】
【００３６】
図６、図１３、図１３−１は実施例５の記録方法／記録形態及び制御フローチャートを表す。
【００３７】
この実施例は受信画像の濃度を薄くして記録するものである。記録系が電子写真の場合のトナー消費量、インクジェット系の場合のインクの消費量を抑えられる。
【００３８】
図１３、図１３−１は制御フローチャートである。図１３のＳ１３０１でエンジンコントローラがメインコントローラから記録濃度を変更するコマンド（ＣＭＤ）を受信したか判定する（図８参照）。受信したらＳ１３０２で高圧制御部にＯＮ信号を送信する。してなければＳ１３０３でＯＦＦ信号を送信する。
【００３９】
図１３−１でＳ１３１０１で高圧制御部はＯＮ信号を受信したか判定し受信したらＳ１３１０２で１次帯電を高く出力し、現像高圧を低く出力する。また、Ｓ１３１０１でＯＮを受信してなければＳ１３１０３で１次帯電を低く、現像高圧を高く出力する。一般に、画像の濃度を薄くしたい時は１次帯電を高く、現像高圧を低く出力し、濃くしたい時はその逆のパターンを出力する。この実施例は画像を濃く印字する記録方法／記録形態と画像を薄く印字する記録方法／記録形態の２つを休日／夜間の時間帯と平日／昼間の時間帯で分ける場合を示す。
【実施例６】
【００４０】
図７、図７−１、図１４、図１５は実施例６の記録方式／記録形態及び制御フローチャートを表す。排紙された記録紙の束を留めるステープラ機能のある記録装置においては、予め設定された枚数、あるいは通信毎に記録紙をステープルするのが一般的である。例えば図７では平日／昼間のオペレータが居る時間帯では３枚毎にステープルする設定になっているとする。これが休日／夜間の記録方式／記録形態では図７−１のように５枚毎にステープルするようにする。ステープラの針の消費量を抑えることができる。
【００４１】
図１４、図１５は制御フローチャートである。前実施例と同じくＳ１４０１でメインコントローラからエンジンコントローラがステープル枚数コマンドを受信したか判定する。してればＳ１４０２でステープラ制御部のＯＮを出力、してなければＳ１４０３でＯＦＦを出力する。図１５でステープラ制御部はＳ１５０１でＯＮを受信したか判定し、受信したらＳ１５０２で５枚でステープルする制御をおこない、ＯＦＦを受信したらＳ１５０３で３枚でステープルする制御をおこなう。
【実施例７】
【００４２】
図８は本発明の装置全体を制御するメインコントローラと図１における記録手段（１−５）を制御するエンジンコントローラ及びそのエンジンコントローラが制御する各要素制御部の接続を表すブロック図である。メインコントローラ（８−１）とエンジンコントローラ（８−２）はコマンドライン（ＣＭＤ）とステータスライン（ＳＴＳ）で接続されメインコントローラからＣＭＤラインを用いてエンジンコントローラに記録に関する各種の指示を与える。一方、エンジンコントローラからはＳＴＳラインを用いて記録に関する各制御部の状態をメインコントローラに報知する。エンジンコントローラは記録の各制御部に対し、ＯＮ信号かＯＦＦ信号を与えることにより、異なる記録方式／記録形態を指示するものとする。本実施例ではＯＮ信号で休日／夜間用の記録方式／記録形態の指示、ＯＦＦ信号で平日／昼間の記録方式／記録形態の指示をするものとする。実際の制御には更に個別の信号ラインが存在するが、本発明の説明においては直接の関係は無いので省略してある。
【００４３】
実施例７においてはエンジンコントローラは記録紙の給紙動作を制御する給紙制御部（８−８）にＯＮ／ＯＦＦ信号を与えて給紙動作を切り替えるものである。給紙動作には記録紙が所定時間内に搬送路に到達しない場合、何回か給紙動作を繰り返す制御がある。これをリトライ給紙動作と呼ぶ。平日／昼間のオペレータが居る時間帯ではこのリトライ給紙動作の回数が少なく設定し、休日／夜間のオペレータが居ない時間帯ではリトライ給紙回数を多く設定する。この回数が少ないと給紙不良をそれだけ早く検知できオペレータへの警告も早くできる。一方、この回数が多いということは、給紙動作不良を装置がなかなか検知しないといことであるから、少々の給紙不良なら粘り強く給紙動作をおこなうので、その分、オペレータ警告の頻度が減少する。休日／夜間はオペレータが居ないのでオペレータ警告頻度の減少は装置の稼働率の向上につながるわけである。
【００４４】
図１６、図１７は制御フローチャートである。図１６でＳ１６０１でエンジンコントローラはメインコントローラから給紙回数のコマンドを受信したか判定し、受信していたらＳ１６０２で給紙制御部にＯＮを出力し、してなければＳ１６０３でＯＦＦを出力する。図１７でＳ１７０１で給紙制御部はＯＮを受信したか判定し、受信していたらＳ１７０２で最大給紙回数を４回とする制御をおこない、ＯＮを受信してなかったらＳ１７０３で最大給紙回数を２回とする制御を行なう。
【実施例８】
【００４５】
実施例８も図８で説明する。実施例８は図８のメインモータ制御部（８−４）にエンジンコントローラがＯＮ／ＯＦＦ信号で指示を与えることにより、記録紙を搬送するモーターの搬送速度を変えるものである。本実施例ではＯＮ信号で休日／夜間用の記録方式／記録形態である搬送速度が遅い指示を与え、ＯＦＦ信号で平日／昼間用の記録方式／記録形態である搬送速度が速い指示を与えるものとする。モータ速度が遅いと記録紙が排紙されるまでの時間が長くなるので、記録動作の生産性（毎分の排紙量）は落ちるが、消費電力は減少するので省エネ効果が上がる。また、図８のスキャナモータ制御部にも同様にＯＮ／ＯＦＦ信号を与える。これは、記録紙の搬送速度が落ちても解像度を同じに保つ為にはスキャナモータの回転速度も同じように落とす必要があるからである。注；本実施例８は電子写真方式の場合を例に挙げているので、画像形成用のレーザースキャンモーターが必要になる。なお電子写真の詳細説明は省略する。
【実施例９】
【００４６】
実施例９も図８を用いる。図８のヒーター制御部（８−３）に前実施例と同様にＯＮ／ＯＦＦ信号でヒーター制御動作が異なる記録方式／記録形態を指示する。本実施例も電子写真とし、記録紙に画像を定着するために、ヒーター熱と圧力をかける。ヒーター制御部（８−３）はこのヒーター熱を制御する制御部である。実施例８で記録紙の搬送速度を落とせば、トナーを定着する為の定着器の温度も低くできる、すなわち、定着器の発熱元であるヒーターの発熱量を少なくできる。具体的にはヒーターの温度を検知し、所定温度を保つようにヒーターへの電力供給量を加減するのである。所定温度とはトナーが記録紙に定着できる定着温度であり、エンジンコントローラからの信号がＯＮのときは定着温度を低くし、ＯＦＦの時は定着温度を高くする。休日／夜間のオペレータが居ない時間帯では制御信号をＯＮとして定着温度を低く設定し（同時に記録紙の搬送速度も遅くする）、省エネ効果をあげる。また、平日／昼間のオペレータの居る時間帯では制御信号をＯＦＦして定着温度を高く設定し（同時に記録紙搬送速度を速くする）記録の生産性をあげる。本実施例９は実施例８と組み合わせて使う。
【００４７】
図１８、図１９、図２０、図２１は以上の制御フローチャートである。図１８でＳ１８０１でメインコントローラからエンジンコントローラが記録紙の搬送速度を半分にする搬送速度半速コマンドを受信したか判定する。していたら、Ｓ１８０２、Ｓ１８０３，Ｓ１８０４で各々メインモータ制御部、スキャンモータ制御部、ヒーター制御部にＯＮ信号を出力する。一方、Ｓ１８０１でコマンドを受信してなければＳ１８０５，Ｓ１８０６，Ｓ１８０７で各々の制御部にＯＦＦを出力する。
【００４８】
図１９はメインモータ制御部の様子であり、Ｓ１９０１でＯＮ受信か否かの判定をし、受信していたらＳ１９０２でメインモータの速度を１／２にする制御をおこない、ＯＮ受信してなければＳ１９０３でメインモータの速度を１／１にする制御をおこなう。
【００４９】
図２０ではスキャナモータ制御部での制御で、同じく、Ｓ２００１でＯＮ受信の判定をし、ＯＮ受信ならＳ２００２スキャンモータ１／２速度制御、ＯＮ受信でなければＳ２００３で１／１速度制御をおこなう。
【００５０】
図２１はヒーター制御部の制御で、同じく、Ｓ２１０１でＯＮ受信ならＳ２１０２で定着温度を１４０℃にする制御をおこない、ＯＮ受信で無いならＳ２１０３で定着温度を１８０℃にする制御をおこなう。
【００５１】
なお、以上の実施例で挙げた具体的な数値はあくまでも１実施例の数値なので、本発明がこれらの数値に限定されるものではないことはいうまでも無い。
【実施例１０】
【００５２】
図９を用いる。図９においてソフトスイッチ入力手段（９−１）からソフトウエアで実現されるスイッチの設定を“０”ないし“１”に設定し、その設定値をソフトスイッチ（９−２）にセットする。ソフトスイッチは具体的にはメモリー内のあるアドレスの１ビットであるが、詳細説明は省略する。
【００５３】
オペレータは予めこのソフトスイッチに“１”ないしは“０”をセットしておく。このスイッチの値により、前述した本発明の実施例の全てにおいてその動作を実行するか、しないかを切り替える。
【００５４】
図２２は制御フローチャートである。Ｓ２２０１でメインコントローラがタイムスケジューラ／カレンダーからデータを読み取る。本実施例の場合はデータとして日付を読み取るものとする。Ｓ２２０２で読み取った日付が［休日］か判定し、休日ならＳ２２０３でソフトスイッチの設定が“１”か判定し、“１”なら休日用の記録方法／記録形態を選択する。Ｓ２２０３でソフトスイッチが“０”ならＳ２２０７で平日用の記録方法／記録形態を選択する。また、Ｓ２２０３で休日でなければＳ２２０５で時計から時刻を読み取り、Ｓ２２０６で時刻が［夜間］か判定し夜間ならＳ２２０３でソフトスイッチの判定をする。夜間でなければＳ２２０７で昼間用の記録方法／記録形態を選択する。なお、本実施例では休日用と夜間用では同じ記録方法／記録形態としたが、これらを別物にすることも当然可能である。
【図面の簡単な説明】
【００５５】
【図１】本発明の記録装置の構成図
【図１−１】実施例１の制御フローチャート
【図２】実施例２の記録方法／記録形態を示す図
【図３】実施例２の記録方法／記録形態を示す図
【図４】実施例３の記録方法／記録形態を示す図
【図５】実施例４の記録方式／記録形態を示す図
【図６】実施例５の記録方法／記録形態を示す図
【図７】実施例６の記録方式／記録形態を示す図
【図７−１】実施例６の記録方式／記録形態を示す図
【図８】各要素制御部の接続を表すブロック図
【図９】実施例１０のブロック図
【図１０】実施例２の制御フローチャート
【図１１】実施例３の制御フローチャート
【図１２】実施例４の制御フローチャート
【図１３】実施例５の制御フローチャート
【図１３−１】実施例５の制御フローチャート
【図１４】実施例６の制御フローチャート
【図１５】実施例６の制御フローチャート
【図１６】実施例７の制御フローチャート
【図１７】実施例７の制御フローチャート
【図１８】実施例９の制御フローチャート
【図１９】実施例９の制御フローチャート
【図２０】実施例９の制御フローチャート
【図２１】実施例９の制御フローチャート
【図２２】実施例１０の制御フローチャート
【符号の説明】
【００５６】
１−１  電話回線
１−２  ＮＣＵ（網制御装置）
１−３  モデム
１−４  メインコントローラ
１−５  記録手段
１−６  代行受信メモリー
１−７  タイムスケジューラあるいはカレンダー
１−８  時計機能
１−９  オペレーションパネル
【図１】
2006159561.tif 000003
【図１−１】
2006159561.tif 000004
【図２】
2006159561.tif 000005
【図３】
2006159561.tif 000006
【図４】
2006159561.tif 000007
【図５】
2006159561.tif 000008
【図７】
2006159561.tif 000009
【図７−１】
2006159561.tif 000010
【図８】
2006159561.tif 000011
【図９】
2006159561.tif 000012
【図１０】
2006159561.tif 000013
【図１１】
2006159561.tif 000014
【図１２】
2006159561.tif 000015
【図１３】
2006159561.tif 000016
【図１３−１】
2006159561.tif 000017
【図１４】
2006159561.tif 000018
【図１５】
2006159561.tif 000019
【図１６】
2006159561.tif 000020
【図１７】
2006159561.tif 000021
【図１８】
2006159561.tif 000022
【図１９】
2006159561.tif 000023
【図２０】
2006159561.tif 000024
【図２１】
2006159561.tif 000025
【図２２】
2006159561.tif 000026
【図６】
2006159561.tif 000027